(57)【要約】【課題】ドレイン本体の外部への雨水の吹き上がりや飛散を防止することができ、かつ容易に能率よく施工することができる雨水用ドレインを提供する。【解決手段】受皿部４と、この受皿部４からその下方に延びる筒部５と、受皿部４の周縁の一部からその横方向に延びる導水部６とを有するドレイン本体２を備え、受皿部４の上に筒状のストレーナ９が設置され、このストレーナ９に導水部６に対応する目皿部７が形成され、この目皿部７は上面壁７ａと周面壁７ｂとを有し、その上面壁７ａが無孔の壁面で、周面壁７ｂに取水口８が形成され、ドレイン本体２における受皿部４から筒部５に連なる部分が、その上部から下部に向って口径が漸次縮小するテーパ状の漏斗部１０となっており、ストレーナ９に縦樋管１４が漏斗部１０と同心的に挿入され、この縦樋管１４から漏斗部１０内に雨水を流入させて下方に排出させる。【選択図】　　図１
2004137716.tif 000002
【特許請求の範囲】
【請求項１】
受皿部と、この受皿部からその下方に延びる筒部と、前記受皿部の周縁の一部からその横方向に延びる導水部とを有するドレイン本体を備え、前記受皿部の上に筒状のストレーナが設置され、このストレーナに前記導水部に対応する目皿部が形成され、この目皿部は上面壁と周面壁とを有し、その上面壁が無孔の壁面で、前記周面壁に取水口が形成され、前記ドレイン本体における前記受皿部から筒部に連なる部分が、その上部から下部に向って口径が漸次縮小するテーパ状の漏斗部となっており、前記ストレーナに縦樋管が前記漏斗部と同心的に挿入され、この縦樋管から前記漏斗部内に雨水が流入してその下方に排出されることを特徴とするファンネル式雨水用ドレイン。
【発明の詳細な説明】
【０００１】
【発明の属する技術分野】
この発明は、例えばマンションのバルコニーに設けて雨水の排水に用いるファンネル式雨水用ドレインに関する。
【０００２】
【従来の技術】
マンション等の建屋における各階のバルコニーにはそれぞれ雨水用ドレインが設けられ、その各階のドレインが縦樋管を介して順次接続されている。そして降雨時の雨水が各階のバルコニーからドレイン内に流れ込むとともに、この雨水が縦樋管を通り、順次その下階側のバルコニーのドレインを経て地表の排水溝等に排出される。
【０００３】
従来のこの種の雨水用ドレインとして、バルコニーの上面の浅底の排水溝を流れる雨水をその流れの方向に沿う横方向から主に取水する横取水式のドレインが一般に知られている。
【０００４】
この種の雨水用ドレインは、図４に示すように、筒状でその軸方向中間部の内側に段部ａ１を有するドレイン本体ａを備え、このドレイン本体ａの上端の開口部にストレーナｂが設けられ、このストレーナｂ内に縦樋管ｃが挿入されている。
【０００５】
ドレイン本体ａの上部の周縁一部には、その横方向に延びる導水部ｄが一体に形成されているとともに、ストレーナｂの下部の周縁一部には、前記導水部ｄに対応するようにその横方向に延びる目皿部ｅが一体に形成され、この目皿部ｅが前記導水部ｄの上に重なるように配置されている。
【０００６】
前記目皿部ｅにはそのほぼ水平な上面壁に複数の横長状の取水口ｆが形成されているとともに、周壁に複数のアーチ状の取水口ｇが形成されている。
【０００７】
そして、図４に矢印Ａで示す横方向から流れてくる雨水が取水口ｆ，ｇを通してドレイン本体ａ内に流入し、その下方に排出される。
【０００８】
一方、バルコニーの上階側の雨水は縦樋管ｃを通してドレイン本体ａ内に落下し、その下方に排出される。
【０００９】
【非特許文献１】
「公団住宅標準詳細設計図集（第５版）」（Ｅ−１２）平成１４年２月１日
社団法人　日本住宅協会発行
【００１０】
【発明が解決しようとする課題】
縦樋管ｃを通してドレイン本体ａ内に流入する雨水の多くはそのドレイン本体ａの内側の段部ａ１の上に落下するが、豪雨等によりその雨水の流量が多量であるときには、段部ａ１の上に雨水が衝撃水となって流れ落ち、その段部ａ１で激しく跳ねてその上方側に吹き上がる。
【００１１】
段部ａ１の斜め上方側にはストレーナｂの目皿部ｅが配置し、この目皿部ｅに取水口ｆが複数形成されており、このため豪雨時等に段部ａ１の上で衝撃的に跳ね上がる雨水の一部がその目皿部ｅの取水口ｆから逆流するように吹き出てバルコニーの床面に溢れ出る。そして縦樋管ｃ内の流下水圧が低下しない限り、ますます雨水が逆流するように溢れ出てバルコニーの床面に溜まってしまう。このため、バルコニーの床面と室内の床面との間がバリヤフリーとなっているような場合には、室内に雨水が流れ込んでしまう恐れがある。
【００１２】
また、雨水がドレイン本体ａから吹き上がるときには、連続的にビシャビシャというような不快な不協和音が生じ、これが静けさのなかでは騒音となって周辺に響き、マンションの居住者等に不快感を与えてしまう。
【００１３】
そこで、ドレイン本体の上部に配置するストレーナの内側に一体にテーパ状の漏斗部を設け、縦樋管からその漏斗部を通して雨水を吹き上がりを起すことなくドレイン本体内に流入させるようにした雨水用ドレインが提案されている。
【００１４】
この場合の雨水ドレインにおいては、ストレーナの内側に設けられた漏斗部の上部の口径が縦樋管の外径より大きく、下部の口径が縦樋管の外径より小さくなるテーパ状となっている。そしてこの漏斗部の上部の開口内に縦樋管が挿入され、この縦樋管から漏斗部を通して雨水がドレイン本体内にガイドされるようになっている。
【００１５】
ところで、このような雨水用ドレインの施工にあたっては、バルコニーのスラブにドレイン本体を据え付け、このドレイン本体の上にストレーナを配置する。そして縦樋管の配管時には、その縦樋管の外周にストレーナを通し、この状態で縦樋管の上端部を上階側のバルコニーのドレインに接続するとともに下端部を当該階のドレイン本体の上部に同軸的に配置させ、さらにこの状態で縦樋管の外周に通してあるストレーナを引き下げてドレイン本体の上部に設置し、止めねじ等により固定し、かつこのストレーナに対して縦樋管を止めねじ等で固定する。
【００１６】
ところが、上述のように、ストレーナの内側に漏斗部が設けられているドレインにおいては、その漏斗部の下端の口径が縦樋管の外径より小さいから、ストレーナを縦樋管の途中の位置まで通すようなことができず、このため縦樋管を二段式に構成するなど、複雑な構造や作業が要求され、縦樋管を据え付ける施工が相当面倒となるという問題がある。
【００１７】
この発明はこのような点に着目してなされたもので、その目的とするところは、ドレイン本体の外部への雨水の吹き上がりや飛散を防止することができるとともに、容易に能率よく施工することができるファンネル式雨水用ドレインを提供することにある。
【００１８】
【課題を解決するための手段】
この発明はこのような目的を達成するために、受皿部と、この受皿部からその下方に延びる筒部と、前記受皿部の周縁の一部からその横方向に延びる導水部とを有するドレイン本体を備え、前記受皿部の上に筒状のストレーナが設置され、このストレーナに前記導水部に対応する目皿部が形成され、この目皿部は上面壁と周面壁とを有し、その上面壁が無孔の壁面で、前記周面壁に取水口が形成され、前記ドレイン本体における前記受皿部から筒部に連なる部分が、その上部から下部に向って口径が漸次縮小するテーパ状の漏斗部となっており、前記ストレーナに縦樋管が前記漏斗部と同心的に挿入され、この縦樋管から前記漏斗部内に雨水を流入させてその下方に排出させるようにしたものである。
【００１９】
【発明の実施の形態】
以下、この発明の実施形態について図１ないし図３を参照して説明する。
【００２０】
図１および図２にはこの発明の第１の実施形態によるファンネル式雨水用ドレインを示してある。図に示す符号１は例えばマンションのバルコニーを構成するコンクリートスラブで、このスラブ１内にドレイン本体２が埋め込まれ、アンカー２ａを介して固定されている。
【００２１】
このドレイン本体２はコンクリート打設同時施工によりスラブ１に据え付けられている。すなわち、スラブ１の施工の際に予めドレイン本体２をバルコニー成形用の型枠（図示せず）の上に筒状のスペーサ３を介して水平に支持し、この状態で型枠の上にコンクリートを打設してドレイン本体２をスラブ１に固定する方法で据え付けられる。
【００２２】
ドレイン本体２は、上部の受皿部４と、この受皿部４からその下方に延びる筒部５とを一体に備え、前記受皿部４の上に筒状のストレーナ９が前記筒部５と同軸的に配置され、止めねじ１３で固定されている。
【００２３】
ドレイン本体２の上部の周縁の一部、つまり受皿部４の周縁の一部には、その横方向に延びる導水部６が一体に形成されているとともに、ストレーナ９の下部の周縁一部には、前記導水部６に対応するようにその横方向に延びる目皿部７が一体に形成され、この目皿部７が前記導水部６の上に重なるように配置されている。
【００２４】
前記目皿部７はほぼ水平な上面壁７ａと、この上面壁７ａの周縁に一体に連なるほぼ垂直な周面壁７ｂとを有し、前記上面壁７ａはその全域が無孔の壁面となっており、前記周面壁７ｂに複数の取水口８が形成されている。
【００２５】
ドレイン本体２内の受皿部４から筒部５に連なる部分は、その上部から下部に向って口径が漸次縮小するテーパ状の漏斗部１０となっている。この漏斗部１０の上部の口径は、ストレーナ９の筒部９ａの下部の口径と同じか、それより大きくなっている。
１４は上階側のバルコニーの雨水用ドレインに通じる縦樋管で、この縦樋管１４の下端部が当該階のバルコニーにおける雨水用ドレインのストレーナ９内に挿入され、止めねじ１５を介してそのストレーナ９に固定されている。
【００２６】
縦樋管１４はドレイン本体２の漏斗部１０と同心的に配置されている。そして漏斗部１０の上部の口径が縦樋管１４の内径より大きく、下部の口径が縦樋管１４の内径より小さい関係となっている。
【００２７】
ドレイン本体２における筒部５の外周にはスペーサ３により環状の空間１６が確保されている。そして下階側のバルコニーの雨水用ドレインに通じる縦樋管１４′の上端部が前記空間１６を介して筒部５の外周に遊嵌されている。
【００２８】
降雨時にはバルコニーの床面からストレーナ９の目皿部７における取水口８を通して雨水がドレイン本体の導水部６内に流れ込むとともに、この雨水が漏斗部１０に流入して下方に落下する。また、同時に縦樋管１４からドレイン本体２内に順次雨水が流入する。
【００２９】
豪雨時等の雨量が多量のときには、縦樋管１４から雨水が円筒形の瀑布となって勢いよくドレイン本体２内に流れ落ち続ける。ここで、縦樋管１４の下方には漏斗部１０が配置しており、このため縦樋管１４から円筒形の瀑布となって勢いよく流れ落ちる雨水は、滑らかな曲面の漏斗部１０内に流入し、その漏斗部１０の内面の漏斗形状にガイドされて吹き上がりを起すことなく滑らかにその下方に流れ込む。
【００３０】
縦樋管１４の内周に沿って漏斗部１０内に流入する雨水の一部がたとえ上方に吹き上がるようなことがあっても、ストレーナ９の目皿部７の上面壁７ａが無孔の壁面となっているから、その吹き上がりの雨水が目皿部７の上面壁７ａで漏斗部１０へ押し戻され、外部に吹き出たり飛散するようなことがない。
このように、縦樋管１４から流出する雨水は、吹き上がりや飛散することなく漏斗部１０を通して順次円滑にその下方に排出され、したがってドレイン本体２から雨水が溢れ出てバルコニーの床面の上に溜まるようなこともなく、このためバルコニーがバリヤフリー構造であっても問題がなく、また不快な不協和音が生じることもほとんどなく、マンション等の居住者に不快感を与えず、静かな居住環境を保つことができる。
【００３１】
一方、この発明の雨水用ドレインにおいては、雨水を滑らかにガイドするための漏斗部１０がドレイン本体２に設けられており、このため縦樋管１４をドレインに据え付ける施工を容易に行なうことができる。
【００３２】
縦樋管１４をドレインに据え付ける際には、まず縦樋管１４の外周にストレーナ９を通して止めねじ１５で仮止めし、この状態で縦樋管１４の上端部を上階側のバルコニーのドレインに接続するとともに下端部を当該階のドレイン本体２の上部に同軸的に配置させ、さらにこの状態で縦樋管１４の外周に仮止めしてあるストレーナ９を引き下げてドレイン本体２の上部に設置して止めねじ１３で固定し、またこのストレーナ９に対して縦樋管１４を止めねじ１５で固定する。
【００３３】
このように、ストレーナ９を縦樋管１４に沿って自由に移動させることができ、したがって縦樋管１４をドレイン本体２の上に何ら障害なく同軸的に配置させて据え付けることができる。
【００３４】
これに対し、前述のようなストレーナの内側に漏斗部が設けられているドレインの場合には、その漏斗部により規制されてストレーナを縦樋管に沿って移動させることが困難となり、このため縦樋管を二段式構造にするような手段を採用しなければならず、したがって据え付けの作業が面倒となり、またコストも嵩んでしまうことになるが、この発明のドレインでは漏斗部１０がドレイン本体２に設けられているから、このような問題を解消することができる。
【００３５】
図３にはこの発明の第２の実施形態を示してあり、この実施形態における雨水用ドレインにおいては、ドレイン本体２の下端部の開口の内周にねじ２０が形成され、このねじ２０に縦樋管１４´の上端部がねじ込まれたねじ込み式となっている。この場合の縦樋管１４としては、鋼管等の金属パイプが用いられる。また、前記ねじは上方に向って漸次縮径するテーパねじとなっている。
【００３６】
このような構成においても、前記第１の実施形態の場合と同様の効果を得ることができる。
【００３７】
【発明の効果】
以上説明したようにこの発明のファンネル式雨水用ドレインによれば、縦樋管から流出する雨水をドレイン本体内の漏斗部を通して吹き上がりや飛散を伴うことなく順次円滑にその下方に排出でき、したがってドレイン本体から雨水が溢れ出たり不快な不協和音が生じるようなことがなく、また漏斗部がドレイン本体内に設けられているからドレインに対する縦樋管の据え付けの施工を容易に能率よく行なうことができる。
【図面の簡単な説明】
【図１】この発明の第１の実施形態に係るファンネル式雨水用ドレインを示す断面図。
【図２】この発明の第１の実施形態に係るファンネル式雨水用ドレインを示す平面図。
【図３】この発明の第２の実施形態に係るファンネル式雨水用ドレインを示す断面図。
【図４】従来の雨水用ドレインを示す断面図。
【符号の説明】
１…コンクリートスラブ
２…ドレイン本体
３…スペーサ
４…受皿部
５…筒部
６…導水部
７…目皿部
７ａ…上面壁
７ｂ…周面壁
８…取水口
９…ストレーナ
１０…漏斗部
１４…縦樋管
【図１】
2004137716.tif 000003
【図２】
2004137716.tif 000004
【図３】
2004137716.tif 000005
【図４】
2004137716.tif 000006